【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
物体側より順に、正の屈折力の第１レンズ群、負の屈折力の第２レンズ群、正の屈折力の第３レンズ群、正の屈折力の第４レンズ群より構成され、前記４つのレンズ群を移動させてズーミングを行うズームレンズにおいて、
前記第１レンズ群は一つのレンズ成分からなり、
広角端から望遠端のズーミングに際し前記第２レンズ群は像側に凸の軌跡で移動し、
広角端に比べ望遠端で、前記第１レンズ群と前記第２レンズ群との間隔は広がり、前記第２レンズ群と前記第３レンズ群との間隔は狭まり、
広角端から望遠端へのズームに伴う前記第１レンズ群と第２レンズ群の移動量を各々ｍ１、ｍ２、前記第２レンズ群の広角端と望遠端における横倍率を各々β２ｗ、β２ｔ、前記第３レンズ群の広角端と望遠端における横倍率を各々β３ｗ、β３ｔとするとき、
｜ｍ２／ｍ１｜＜０．１５
１．７５＜β２Ｔ／β２ｗ＜２．３０
１．２＜（β２ｗ・β３ｔ）／（β２ｔ・β３ｗ）＜２．０
の条件を満足することを特徴とするズームレンズ。
【請求項２】
前記第３レンズ群の最も物体側のレンズ面頂点から最も像面側にあるレンズ面頂点までの距離をｄ３、広角端における全系の焦点距離をｆｗとするとき、
０．５０＜ｄ３／ｆｗ＜０．７５
の条件を満足することを特徴とする請求項１記載のズームレンズ。
【請求項３】
物体側より順に、正の屈折力の第１レンズ群、負の屈折力の第２レンズ群、正の屈折力の第３レンズ群、正の屈折力の第４レンズ群より構成され、前記４つのレンズ群を移動させてズーミングを行うズームレンズにおいて、
前記第１レンズ群は一つのレンズ成分からなり、
広角端から望遠端のズーミングに際し前記第２レンズ群は像側に凸の軌跡で移動し、
広角端に比べ望遠端で、前記第１レンズ群と前記第２レンズ群との間隔は広がり、前記第２レンズ群と前記第３レンズ群との間隔は狭まり、
広角端から望遠端へのズームに伴う前記第１レンズ群と第２レンズ群の移動量を各々ｍ１、ｍ２、前記第２レンズ群の広角端と望遠端における横倍率を各々β２ｗ、β２ｔ、前記第３レンズ群の広角端と望遠端における横倍率を各々β３ｗ、β３ｔ、前記第３レンズ群の最も物体側のレンズ面頂点から最も像面側にあるレンズ面頂点までの距離をｄ３、広角端における全系の焦点距離をｆｗとするとき、
｜ｍ２／ｍ１｜＜０．１５
１．２＜（β２ｗ・β３ｔ）／（β２ｔ・β３ｗ）＜２．０
０．５０＜ｄ３／ｆｗ＜０．７５
の条件を満足することを特徴とするズームレンズ。
【請求項４】
前記第１レンズ群の一つのレンズ成分は、１枚の正レンズであることを特徴とする請求項１から３のいずれか１項に記載のズームレンズ。
【請求項５】
前記第１レンズ群の一つのレンズ成分は、１枚の正レンズと１枚の負レンズとを接合した接合レンズであることを特徴とする請求項１から３のいずれか１項に記載のズームレンズ。
【請求項６】
前記第２レンズ群は、２枚の負レンズと１枚の正レンズの独立のレンズより成ることを特徴とする請求項１から５のいずれか１項に記載のズームレンズ。
【請求項７】
前記第４レンズ群によりフォーカスを行うことを特徴とする請求項１から６のいずれか１項に記載のズームレンズ。
【請求項８】
前記第３レンズ群は１以上の非球面を有することを特徴とする請求項１から７のいずれか１項に記載のズームレンズ。
【請求項９】
前記第４レンズ群は１以上の非球面を有することを特徴とする請求項１から８のいずれか１項に記載のズームレンズ。
【請求項１０】
広角端における前記第２レンズ群の最も像面側にあるレンズ面頂点から前記第３レンズ群の最も物体側にあるレンズ面頂点までの距離をｄ２３ｗ、広角端における全系の焦点距離をｆｗとするとき、
２．０＜ｄ２３ｗ／ｆｗ＜２．７
の条件を満足することを特徴とする請求項１から９のいずれか１項に記載のズームレンズ。
【請求項１１】
前記第３レンズ群と一体で移動可能な絞りを有することを特徴とする請求項１から１０のいずれか１項に記載のズームレンズ。
【請求項１２】
固体撮像素子上に像を形成することを特徴とする請求項１から１１のいずれか１項に記載のズームレンズ。
【請求項１３】
請求項１から１２のいずれか１項に記載のズームレンズと、該ズームレンズによって形成される像を受光する固体撮像素子とを有することを特徴とする光学機器。
【手続補正２】
【補正対象書類名】明細書
【補正対象項目名】００１５
【補正方法】変更
【補正の内容】
【００１５】
本発明の一実施形態のズームレンズは、
物体側より順に、正の屈折力の第１レンズ群、負の屈折力の第２レンズ群、正の屈折力の第３レンズ群、正の屈折力の第４レンズ群より構成され、前記４つのレンズ群を移動させてズーミングを行うズームレンズにおいて、
前記第１レンズ群は一つのレンズ成分からなり、
広角端から望遠端のズーミングに際し前記第２レンズ群は像側に凸の軌跡で移動し、
広角端に比べ望遠端で、前記第１レンズ群と前記第２レンズ群との間隔は広がり、前記第２レンズ群と前記第３レンズ群との間隔は狭まり、
広角端から望遠端へのズームに伴う前記第１レンズ群と第２レンズ群の移動量を各々ｍ１、ｍ２、前記第２レンズ群の広角端と望遠端における横倍率を各々β２ｗ、β２ｔ、前記第３レンズ群の広角端と望遠端における横倍率を各々β３ｗ、β３ｔとするとき、
｜ｍ２／ｍ１｜＜０．１５
１．７５＜β２Ｔ／β２ｗ＜２．３０
１．２＜（β２ｗ・β３ｔ）／（β２ｔ・β３ｗ）＜２．０
の条件を満足することを特徴としている。
【手続補正３】
【補正対象書類名】明細書
【補正対象項目名】００１６
【補正方法】変更
【補正の内容】
【００１６】
本発明の別の実施形態としてのズームレンズは、
物体側より順に、正の屈折力の第１レンズ群、負の屈折力の第２レンズ群、正の屈折力の第３レンズ群、正の屈折力の第４レンズ群より構成され、前記４つのレンズ群を移動させてズーミングを行うズームレンズにおいて、
前記第１レンズ群は一つのレンズ成分からなり、
広角端から望遠端のズーミングに際し前記第２レンズ群は像側に凸の軌跡で移動し、
広角端に比べ望遠端で、前記第１レンズ群と前記第２レンズ群との間隔は広がり、前記第２レンズ群と前記第３レンズ群との間隔は狭まり、
広角端から望遠端へのズームに伴う前記第１レンズ群と第２レンズ群の移動量を各々ｍ１、ｍ２、前記第２レンズ群の広角端と望遠端における横倍率を各々β２ｗ、β２ｔ、前記第３レンズ群の広角端と望遠端における横倍率を各々β３ｗ、β３ｔ、前記第３レンズ群の最も物体側のレンズ面頂点から最も像面側にあるレンズ面頂点までの距離をｄ３、広角端における全系の焦点距離をｆｗとするとき、
｜ｍ２／ｍ１｜＜０．１５
１．２＜（β２ｗ・β３ｔ）／（β２ｔ・β３ｗ）＜２．０
０．５０＜ｄ３／ｆｗ＜０．７５
の条件を満足することを特徴としている。
【手続補正４】
【補正対象書類名】明細書
【補正対象項目名】００３０
【補正方法】変更
【補正の内容】
【００３０】
第１レンズ群Ｌ１は有効レンズ径が大きいので、単一のレンズ（一つのレンズ成分）で構成することで第１レンズ群Ｌ１の重量を軽量化し、移動のためのアクチュエータの負荷を低減している。第２レンズ群Ｌ２は、物体側に凸面を向けたメニスカス形状の負レンズ、両レンズ面が凹面の負レンズ、物体側に凸面を向けた正レンズの独立の３つのレンズより構成している。これにより変倍時の収差変動を少なくし、特に広角端における歪曲収差や望遠端における球面収差を良好に補正している。第３レンズ群Ｌ３は物体側から２枚の正レンズと像面側に凹面を向けた負レンズで構成し、第２レンズ群Ｌ２と第３レンズ群Ｌ３間の主点間隔を小さくすることで第３レンズ群以降のレンズ長を短縮している。第３レンズ群Ｌ３は１以上の非球面を用いている。